(57)【要約】      （修正有）【課題】高速運転により震動を発生する時、緩衝、震動吸収効果を有し、ファン運転のノイズを低減する以外に、ファン防震構造が容易に組み立て又は分解でき、歩留まりを減少し、製造コストを低減する防震ファン構造を提供する。【解決手段】本防震ファン構造は、ファン１０及び少なくとも１つの震動吸収構造からなり、該ファンの筐体周辺位置上に少なくとも１つの固定ソケット１２を設け、該震動吸収ラッチ２０の軸向きに垂直な一端面は、固定ロッド２１を延伸し、該固定ロッド及び震動吸収ラッチの端面の間に定位溝を形成し、ファンを機体上に固定することに用い、震動吸収ラッチが機体に接触することにより、防震ファン及び機体に一定の距離を形成させ、震動吸収ラッチを利用し、ファンが高速運転することにより発生する震動を吸収し、緩衝、震動吸収効果を有し、ファンのノイズを低減することを達成する。【選択図】図２
0003171537.tif 000002
【実用新案登録請求の範囲】
【請求項１】
防震ファン構造であり、ファン及び少なくとも１つの震動吸収構造からなり、
該ファンは、ファン翼組を定位実装させる筐体を有し、
該ファンは、筐体を有し、該筐体周辺位置に少なくとも１つの固定ソケットを設け、該震動吸収ラッチは、固定ソケット上に結合し、且つ該震動吸収ラッチは、軸向きに垂直な少なくとも一端面は、固定ロッドを延伸し、該固定ロッド及び該震動吸収ラッチの端面の結合位置は、ファンを機体位置に固定することに用いる定位溝を内向きに凹設形成し、
そのうち、該震動吸収ラッチは、固定ソケットに結合後、該震動吸収ラッチ定位溝の軸向きに垂直な両水平端面の高さは、筐体の軸向きに垂直な両水平端面の高さより高く、ファン及び機体間に固定距離を形成させることを特徴とする防震ファン構造。
【請求項２】
前記筐体の形状が円形又は多辺形である請求項１に記載の防震ファン構造。
【請求項３】
前記震動吸収ラッチは、軟性材料から構成され、該軟性材質がプラスチック、シリコンの何れか１種である請求項１に記載の防震ファン構造。
【請求項４】
前記固定ソケットの両側にそれぞれ凸ブロックを設け、各震動吸収ラッチは、それぞれ第１凹溝を設け、該第１凹溝は、該凸ブロックに対応結合する請求項１に記載の防震ファン構造。
【請求項５】
前記固定ソケット内側表面に少なくとも１つの凸部を有し、該震動吸収ラッチは、第２凹溝を設け、該凸部は、該第２凹溝に対応する請求項１に記載の防震ファン構造。
【請求項６】
前記筐体の側面に少なくとも１つの投射灯を設ける請求項１に記載の防震ファン構造。
【請求項７】
前記投射灯は、ＬＥＤ灯である請求項６に記載の防震ファン構造。
【請求項８】
前記筐体は、成形後、該震動吸収ラッチを該筐体の固定ソケット上に結合する請求項１に記載の防震ファン構造。
【請求項９】
前記筐体は、成形後、射出成形方法利用し、該震動吸収ラッチを該筐体の固定ソケット上に固定させる請求項１に記載の防震ファン構造。
【請求項１０】
前記筐体及び該震動吸収ラッチの材質が同一である請求項９に記載の防震ファン構造。
【請求項１１】
前記筐体及び該震動吸収ラッチの材質が異なる請求項９に記載の防震ファン構造。
【請求項１２】
前記ファンが更に１つのファン翼組を含み、該ファン翼組の軸心位置が弾丸形又は平滑状の何れか１種を呈する請求項１に記載の防震ファン構造。
【請求項１３】
前記ファンが更に１つのファン翼組を含み、該ファン翼組の軸心位置が弾丸形又は平滑状の何れか１種を呈する請求項１に記載の防震ファン構造。
【請求項１４】
前記ファンの筐体周辺位置に少なくとも１つの固定ソケットを設け、該震動吸収ラッチの軸向きに垂直な一端面に凸台を設け、該凸台の表面に固定ロッドを設け、該固定ロッド及び震動吸収ラッチの端面の凸台の接合位置は、ファンを機体位置に固定することに用いる定位溝を内縮凹設し、且つ震動吸収ラッチが固定ソケットに結合後、該固定ロッドの定位溝の軸向きに垂直な両水平端面の高さが筐体の軸向きに垂直な両水平端面の高さより高く、ファン及び機体に固定距離を呈して定位させる請求項１に記載の防震ファン構造。
【請求項１５】
前記震動吸収ラッチは、固定ソケット上に結合され、その結合方式は、嵌合、係合又は緊密接合の何れか１種である請求項１又は請求項１３に記載の防震ファン構造。
【請求項１６】
前記機体は、コンピュータ又は電子設備の機体である請求項１又は請求項１３に記載の防震ファン構造。
【考案の詳細な説明】
【技術分野】
【０００１】
本考案は、ファン構造に関し、特に、ファンのノイズ及び震動を低減する防震ファンを有するファン構造に関する。
【背景技術】
【０００２】
現在の電子製品の演算速度が絶えず上昇している下で、電子部材が演算時に発生する温度は、相対して高くなっているので、ヒートシンク装置により発生する熱量を効率的に排出し、電子部材の正常動作及び使用寿命を確保し、電子製品の動作安定性を向上する必要がある。
【０００３】
ヒートシンク装置において、ヒートシンクファンは、良く使用される放熱手段であり、ヒートシンクファンの作用を介し、高熱量を有する空気を迅速に吹き飛ばすか吸引することができ、放熱の効果を達成するが、ヒートシンクファンが高速回転を開始後、発生する震動力を直接ファン翼又は電子製品のシャーシ上に伝導し、シャーシ内部に共振現象を発生し、ヒートシンクファンが良好な防震構造を有さない場合、人を悩ますノイズを発生し易く、長期震動によりヒートシンクファンを固定する部材が緩んで外れる現象が発生し易く、安定性が良好でなく、ヒートシンクファンの寿命を減少させる。
【０００４】
従来のヒートシンクファンは、これらの問題に直面し、関連する解決試案を提示し、そのうち、例えば、台湾実用新案公告第M371398号特許案は、防震効果を具えるファン固定装置であり、指定取り付け孔に結合する防震パッドと、ホルダー及び挿入ピンを含み、該ホルダーが防震パッドを貫通し、ファンの取り付け孔を貫通し、挿入ピンがホルダー内に挿入されるプラスチックラッチと、を含む。
【０００５】
しかしながら、上記は、構造部材が多く、組み立て時に逐一被せ合わせ位置合わせし、貫通設置する必要があり、複雑であり、ただ該挿入ピン、ホルダーを利用し、従来の螺子固定部材に取って代えているだけであり、利便性が良好でない。また、例えば、台湾発明特許公告M258339号が開示するように、その図１に示すように、それは、細長いゴム緩衝軸３０及びゴムパッド４０を利用して構成され、該緩衝軸３０は、３つの軸柱を有し、２つの外向きに拡張する拡大部３４がそれぞれ、第１軸柱３１及び第２軸柱３２の末端に位置し、それぞれ定位部３４１を成型する。シャーシと組み立て時、第１軸柱３１は、先ず機体殻壁５０の貫通孔５１を貫通し、第３軸柱３３は、更にファン６０の周辺の通孔６０１を貫通させ、各拡大部３４は、それぞれファン６０の通孔６０１を貫通し、定位部３４１を通孔６０１辺側に噛み合わせ定位する。パッド４０は、ファン６０及び機体殻壁５０の間に設置され、緩衝軸３０の材料の震動吸収特性を介し、該ファンが発生する震動力を吸収し、ファンの安定性を保持している。
【０００６】
しかしながら、従来の防震ヒートシンクファンは、シャーシに固定され、防震の効果を有するが、この種の緩衝軸は、過度に細長く、且つ構造が複雑であり、組み立てが面倒であり、力を費やして第１軸柱を引っ張り、ファンに装着する必要があり、組み立て又は分解中に施力が不当であることにより損壊し易く、且つ別途パッドを加えて初めて防震効果を有することができ、パッドがファンの長期震動により脱落し、このパッドが欠落しても防震効果を失うので、別途新たな方法を探し、この問題を解決する必要がある。
【先行技術文献】
【特許文献】
【０００７】
【特許文献１】台湾実用新案公告第M371398号公報
【特許文献２】台湾発明特許公告第M258339号公報
【考案の概要】
【考案が解決しようとする課題】
【０００８】
上記問題を効率的に解決する為、本考案の目的は、高速運転により震動を発生する時、緩衝、震動吸収効果を有し、ファン運転のノイズを低減する以外に、ファン防震構造が容易に組み立て又は分解でき、歩留まりを減少し、製造コストを低減する防震ファン構造を提供することにある。
【課題を解決するための手段】
【０００９】
上記の目的を達成する為、本考案は、防震ファン構造を提供し、ファン及び１つ以上の震動吸収ラッチから構成され、該ファンの筐体周辺位置に少なくとも１つの固定ソケットを設け、各該震動吸収ラッチが該固定ソケット上に位置し、該震動吸収ラッチの少なくとも一端面に固定ロッドを有し、各該固定ロッド及び該震動吸収ラッチの接合端は、定位溝を形成し、ファンを機体上に固定することに用い、該震動吸収ラッチにより機体に接触し、該防震ファンの高速運転が発生する震動は、該震動吸収ラッチを経由して直接吸収され、緩衝及び震動吸収の効果を形成し、また、震動吸収ラッチが軟性材質であることにより、機体と接触する面積を相対して増加し、防震ファンとの結合強度を強化する以外に、更に震動吸収効果を増加することができ、また一方で、この防震ファンは、構造が簡便であり、組み立て又は分解において、労力を要さず、歩留まりを減少することができ、防震ファンを堅固に機体上に固定し、脱落の恐れをなくすことができる。
【考案の効果】
【００１０】
本考案の防震ファン構造は、ファン及び少なくとも１つの震動吸収構造からなり、該ファンの筐体周辺位置上に少なくとも１つの固定ソケットを設け、該震動吸収ラッチの軸向きに垂直な一端面は、固定ロッドを延伸し、該固定ロッド及び震動吸収ラッチの端面の間に定位溝を形成し、ファンを機体上に固定することに用い、震動吸収ラッチが機体に接触することにより、防震ファン及び機体に一定の距離を形成させ、震動吸収ラッチを利用し、ファンが高速運転することにより発生する震動を吸収し、緩衝、震動吸収効果を有し、ファンのノイズを低減することを達成する。
【図面の簡単な説明】
【００１１】
【図１】従来の防震構造の組み合わせ断面図である。
【図２】本考案の防震ファン構造の分解図である。
【図３】本考案の防震ファン構造の組み合わせ図である。
【図４】本考案のコンピュータ機体に組み込んだ分解説明図である。
【図５】本考案の防震ファン構造の側面局部拡大図である。
【図６】本考案のコンピュータ機体に組み込んだ後の側面局部拡大図である。
【図７】本考案のファン翼組の他の実施例の構造説明図である。
【図８】本考案の防震ファン構造の他の実施例の分解図である。
【図９】本考案の防震ファン構造の他の実施例の組み合わせ図である。
【図１０】本考案の防震ファン構造の他の実施例の側面局部拡大図である。
【図１１】本考案の防震ファン構造の他の実施例のコンピュータ機体に組み込み後の局部拡大図である。
【考案を実施するための形態】
【００１２】
図２及び図３に示すように、本実施例中の該防震ファン構造は、ファン１０と、少なくとも１つの震動吸収ラッチ２０と、を含み、本実実施例においては、４つの震動吸収ラッチ２０を最適な形態として説明を行い、該ファン１０は、ファン翼組１０１を実装させる筐体１１を有し、該筐体１１の形状は、制限せず、円形又は多辺形であることができ、本実施例では、該筐体１１は、矩形であり、該筐体１１は、ファン翼組１０１を収容することに用い、本実施例において、該ファン翼組１０１の軸心位置は、弾丸状を呈し、筐体１１周辺の相対位置にそれぞれ固定ソケット１２を形成し、本実施例では、該固定ソケット１２は、開口状を呈し、各固定ソケット１２の両側にそれぞれ凸ブロック１２１を設け、該開口位置に対応する内側表面上に少なくとも１つの凸部１２２を設け、本実施例では、２つの凸部１２２を設置する。
【００１３】
図２及び図３を参照し、該震動吸収ラッチ２０は、軟性材料で構成され、該筐体１０の固定ソケット１２内に結合することに用い、該震動吸収ラッチ２０の両端面は、それぞれ軸向きに延伸する固定ロッド２１を設け、該固定ロッド２１及び該震動吸収ラッチ２０の端面の接合位置は、内向きに縮小し、定位溝２２を形成し、ファン１０を機体の相対位置上（詳細後述）に固定することに用い、また、各震動吸収ラッチ２０及び筐体１０の接合したい面上にそれぞれ第１凹溝２３及び第２凹溝２４を設け、そのうち、該第１凹溝２３は、固定ソケット１２の凸ブロック１２１に嵌合することに用い、該第２凹溝２４が該固定ソケット１０の凸部１２２に対応し、本実施例中には、２つの第２凹溝２４を設置し、該２つの凸部１２２を結合することに用い、各相対する噛み合わせによりファン１０及び震動吸収ラッチ２０が相互に緊密結合させる作用を有する。
【００１４】
図４を参照し、それは、本考案の操作組み合わせ説明図である。図に示すように、本実施例は、コンピュータ機体９０内部に取り付けられ、該機体９０の背面板９１上に複数の定位孔９２を有し、各震動吸収ラッチ２０の一端の固定ロッド２１を該定位孔９２中に貫通設置させることができ、該背面板９１及び該定位溝２２を相互に嵌合させ、該ファン１０を該背面板９１上に直接固定させる。
【００１５】
また、本実施例中のファン１０の製造方法は、先に該筐体１１を成形することができ、更に射出成型方式により該震動吸収ラッチ２０を直接熱プレス接着成形後、一体に結合し、引き出し、即ち、１つに組み立て、該筐体１１及び該震動吸収ラッチ２０の材質は、同一であることができ、異なることもできる。
【００１６】
図５及び図６の局部拡大図を併せて参照し、図に示すように、該震動吸収ラッチ２０が筐体１１の固定ソケット１２に固定された後、該震動吸収ラッチ２０の軸向きに垂直な上下両水平端面は、該筐体１１の軸向きに垂直な両水平端面より高く、即ち、図５中のラッチ２０の高度Ｈ１の長さが筐体１０の高度Ｈ２の長さより大きく、該ファン１０を背面板９１上に取り付けた後、震動吸収ラッチ２０の水平端面は、該機体９０の背面板９１に直接貼付され、ファンの筐体１１及び背面板９１間に固定距離を形成し、これにより、ファン１０が高速運転時、背面板９１と衝突を発生しないだけでなく、そのファン１０が発生する震動又は機体９０の震動が各震動吸収２０から直接吸収され、そのファン１０の防震性能を向上する。
【００１７】
図５を参照し、該筐体１１の側辺に少なくとも１つの投射灯１３を設け、本実施例において、各側辺にそれぞれ２つの投射灯１３を設置し、且つ該投射灯１３は、ＬＥＤ灯であり、該投射灯１３は、該ファン１０のファン翼上に設置され、これによりファン１０が運転時、投射灯１３の投射作用により、グレアの効果を発生する。
【００１８】
また、前記ファン翼組１０１の軸心位置が弾丸形に成形可能である以外に、図７に示すように、該軸心位置も平滑状になることも可能である。
【００１９】
図８〜図９を参照し、それは、本考案の他の実施例の分解図及び組み合わせ図であり、それは、前記実施例と略同一であり、そのうち、該ファン１０は、ファン翼組１０１を定位実装させる筐体１１を有し、ファン翼組１０１の軸心は、弾丸型又は平滑形（図６参照）の何れか１種であることができる。該ファン１０の筐体１１周辺位置に少なくとも１つの固定ソケット１２を設け、図面では、４個の端角にそれぞれ固定ソケット１２を設ける。固定ソケット１２は、開口状を呈し、各固定ソケット１２両側にそれぞれ凸ブロック１２１を設け、その内側表面上に２つの凸部１２２を設け、該震動吸収ラッチ２０は、軟性材質から構成され、プラスチック、ゴム、シリコンゲルの何れか１種であることができ、固定ソケット１２上に結合し、且つ該震動吸収ラッチ２０の軸向きに垂直な一端面に凸台２０１を設け、凸台２０１の表面に固定ロッド２１を設け、該固定ロッド２１及び震動吸収ラッチ２０の端面の凸台２０１が接合する位置は、ファン１０を電子又はコンピュータ設備の機体９０（図１１参照）に固定することに用いる定位溝２２を内縮凹設し、各震動吸収ラッチ２０及びフレーム体１０の接合したい面上にそれぞれ第１凹溝２３及び第２凹溝２４を設け、そのうち、該第１凹溝２３は、固定ソケット１２の凸ブロック１２１に嵌合することに用い、該第２凹溝２４は、固定ソケット１０の凸ブロック１２２に対応し、本実施例では、２つの第２凹溝２４を設置し、該２つの凸部１２２に結合することに用い、各相対する噛み合わせによりファン１０及び震動吸収ラッチ２０を相互に緊密結合させる作用を有し、図４、図５の局部拡大図に示すように、そのうち、該震動吸収ラッチ２０は、固定ソケット１２に結合後、該震動吸収ラッチ２０の定位溝２２の軸向きに垂直な両水平端面の高さは、筐体１１の軸向きに垂直な両水平端面の高さより高く、即ち、図１０、図１１に示すようであり、少なくとも震動吸収ラッチ２０の端面の高さＨ１の長さは、筐体１１の高さＨ２の長さより大きく、該ファン１０を機体９０の背面板９１上に取り付けた後、震動吸収ラッチ２０の凸台１０１及びその水平端面は、定位孔９２を通過し、背面板９１と貼合し、ファン１０の筐体１１及び背面板９１に該震動吸収ラッチ２０の定位を介し、固定距離を形成させ、ファン１０が高速運転時、ファン１０が発生する震動が機体９０に影響を及ぼすか、共振を発生することがなく、且つ該震動は、震動吸収ラッチ２０により直接吸収排除し、ノイズ防止及び防震機能を達成する。
【符号の説明】
【００２０】
（従来技術）
３０  緩衝軸
３１  第１軸柱
３２  第２軸柱
３３  第３軸柱
３４  拡大部
３４１  定位部
４０  パッド
５０  機体殻壁
５１  貫通孔
６０  ファン
６０１  通孔
（本考案）
１０  ファン
１０１  ファン翼組
１１  筐体
１２  固定ソケット
１２１  凸ブロック
１２２  凸部
１３  投射ランプ
２０  震動吸収ラッチ
２１  固定ロッド
２２  定位溝
２３  第１凹溝
２４  第２凹溝
Ｈ１  ラッチ高度
Ｈ２  筐体高度
９０  コンピュータ機体
９１  背面板
９２  定位孔
２０１  凸台
【図１】
0003171537.tif 000003
【図２】
0003171537.tif 000004
【図３】
0003171537.tif 000005
【図４】
0003171537.tif 000006
【図５】
0003171537.tif 000007
【図６】
0003171537.tif 000008
【図７】
0003171537.tif 000009
【図８】
0003171537.tif 000010
【図９】
0003171537.tif 000011
【図１０】
0003171537.tif 000012
【図１１】
0003171537.tif 000013